(57)【要約】【課題】  掻き寄せられた草等を、両手の間で掴んだり、両腕で抱き上げたりする作業をしなくても楽に持ち上げることができ、腰を大きくかがめたり、膝をついたりする必要がなく、作業性がよく、構造が簡単で、故障が少なく、安価な熊手を提供する。【解決手段】  柄２の先端に掻き寄せ棒１０が扇形に設けられた熊手であって、摺動筒３が、前記柄の外側に長手方向に沿って前後に摺動可能に嵌め合わされ、前記摺動筒の先端部には支え棒１４が扇形に設けられるとともに、前記摺動筒の後端部に設けられた支軸２１を中心にレバー１９が揺動可能とされ、該レバーの一端部に制動子２２が装着されるとともにレバーと摺動筒の間にねじりコイルバネ２３が介装され、該ねじりコイルバネの付勢力により前記レバーを介し前記制動子が前記柄の表面を押圧可能とした制動機構が設けられてなることを特徴とする。【選択図】  図２
0003128316.tif 000002
【実用新案登録請求の範囲】
【請求項１】
柄の先端に掻き寄せ部材が設けられた熊手であって、
摺動筒が、前記柄の外側に長手方向に沿って前後に摺動可能に嵌め合わされ、
前記摺動筒の先端部には支え部材が設けられるとともに、後端部には該摺動筒を制止する制止手段が設けられ、
該制止手段による前記摺動筒の制止を解除して摺動筒を後方位置から前方位置に摺動させて前記掻き寄せ部材と前記支え部材との間で被収集体を挟み込み、前記摺動筒を制止させることで被収集体の挟み込みが維持できるようになっていることを特徴とする熊手。
【請求項２】
前記掻き寄せ部材は、先端部が下方へ略直角に折り曲げられた所定数の掻き寄せ棒が前記柄の先端に取着された要金具から扇状に延設されてなり、
前記支え部材は、被収集体を挟み込む位置において、前記掻き寄せ棒の先端に向かって傾斜した直線状の所定数の支え棒が前記摺動筒の先端部に取着された要金具から扇状に延設されてなることを特徴とする請求項１記載の熊手。
【請求項３】
前記制止手段は、前記摺動筒の後端部に設けられた支軸を中心にレバーが揺動可能とされ、該レバーの一端部に制動子が装着されるとともにレバーと摺動筒の間に弾性体が介装され、該弾性体の付勢力により前記レバーを介し前記制動子が前記柄の表面を押圧可能とした制動機構であることを特徴とする請求項１または２記載の熊手。
【請求項４】
前記制止手段は、回動操作部と、前記摺動筒の後端部に穿設されたネジ孔に螺合した雄ネジ部を備え、該雄ネジ部が前記柄の表面に向かって進行するように回動操作部を回動することで前記雄ネジ部の先端が前記柄の表面を押圧可能としたクランプ機構であることを特徴とする請求項１または２記載の熊手。
【請求項５】
前記制止手段は、前記摺動筒の後端部に設けられた支軸を中心にレバーが揺動可能とされ、該レバーの一端部に係合子が装着されるとともにレバーと摺動筒の間に弾性体が介装され、該弾性体の付勢力により前記レバーを介し前記係合子が前記柄の表面に連続的に形成された複数の刻み目のいずれかと係合可能とされた係合機構であることを特徴とする請求項１または２記載の熊手。  
【考案の詳細な説明】
【技術分野】
【０００１】
この考案は、熊手に関するものである。さらに詳しくは、この考案は、例えば、ある程度背丈が長く成長した草等の被収集体を挟み込んで持ち上げるのに好適な熊手に関するものである。
【背景技術】
【０００２】
刈った草等を掻き寄せるのに熊手が使用されるが、掻き寄せた草等を、その場で焼却処分等せず、別の場所で焼却処分したり、堆肥や、家畜の飼料等に利用する場合には、掻き寄せた草等を、両手の間で掴んだり、両腕で抱き上げたりして持ち上げ、一輪車、トラック等の運搬車にまで運び、所定の場所にまで運搬しているのが実情である。
この様な作業のうち、とりわけ、熊手によって掻き寄せられた草等を、両手の間で掴んだり、両腕で抱き上げたりする作業は、その都度腰を大きくかがめたり、膝をついたりすることになり、楽な作業とはいえず、作業性に劣り、とりわけ、高齢者ともなると、そのような作業は苦痛を伴うことにもなり勝ちである。
【０００３】
熊手としては、特許文献１に記載されたものが例示できる。この熊手は、熊手の幅を調節するようにして、狭い場所でも使用できるようにしたものである。
【特許文献１】実開平３−１２６４２６号公報
【考案の開示】
【考案が解決しようとする課題】
【０００４】
特許文献１に記載された熊手でも、掻き寄せられた草等を、両手の間で掴んだり、両腕で抱き上げたりする作業、従って、その都度腰を大きくかがめたり、膝をついたりすることが必要なことは、従来の熊手と同様であり、前述した作業を軽減等するものではない。
【０００５】
この考案は、上記のような実情に鑑み鋭意研究の結果創案されたものであり、掻き寄せられた草等を、両手の間で掴んだり、両腕で抱き上げたりする作業をしなくても楽に持ち上げることができ、従って、腰を大きくかがめたり、膝をついたりする必要がなく、作業性がよく、構造が簡単で、故障が少なく、安価な熊手を提供することを目的としている。
【課題を解決するための手段】
【０００６】
上記課題を解決するために、この考案は、柄の先端に掻き寄せ部材が設けられた熊手であって、摺動筒が、前記柄の外側に長手方向に沿って前後に摺動可能に嵌め合わされ、前記摺動筒の先端部には支え部材が設けられるとともに、後端部には該摺動筒を制止する制止手段が設けられ、該制止手段による前記摺動筒の制止を解除して摺動筒を後方位置から前方位置に摺動させて前記掻き寄せ部材と前記支え部材との間で被収集体を挟み込み、前記摺動筒を制止させることで被収集体の挟み込みが維持できるようになっていることを特徴とする。
【０００７】
これによれば、先ず、制止手段により摺動筒を後方位置に制止しておき、柄を持って掻き寄せ部材で草等の被収集体を掻き寄せる。そして、被収集体を掻き寄せた状態で、制止手段による摺動筒の柄に対する制止を解除し、摺動筒を柄の長手方向に沿って前方に摺動させることで、被収集体を掻き寄せ部材と支え部材との間に挟み込むことができる。次いで、制止手段によって摺動筒を柄に対して制止させると、熊手の先端を上方に向けたりしても、摺動筒が制止手段によって柄に対し制止されていることから、後方へ摺動することがなく、被収集体を掻き寄せ部材と支え部材との間に挟み込んだ状態で熊手を持ち上げることができる。そして、熊手を動かして、掻き寄せ部材と支え部材との間に挟み込んだ被収集体を一輪車、トラック等の運搬車の上に位置させ、制止手段による摺動筒の制止を解除し、摺動筒を後方へ摺動させることで、被収集体を一輪車、トラック等の運搬車の上に移すことができる。この様な作業は、いずれも、平地だけに限られず、中間山地の斜面、田の土手、道路の法面等の傾斜地でも同様にして行うことができる。
従って、掻き寄せられた草等を、両手の間で掴んだり、両腕で抱き上げたりする作業をしなくても楽に持ち上げることができ、腰を大きくかがめたり、膝をついたりする必要がなく、立ったままの楽な姿勢で作業を行うことができ、作業性がよく、高齢者であっても無理なく行うことができる。こういったことから、腰や膝を痛めたりする恐れがなく、安全でもある。
【０００８】
そして、前記掻き寄せ部材は、先端部が下方へ略直角に折り曲げられた所定数の掻き寄せ棒が前記柄の先端に取着された要金具から扇状に延設されてなり、前記支え部材は、被収集体を挟み込む位置において、前記掻き寄せ棒の先端に向かって傾斜した直線状の所定数の支え棒が前記摺動筒の先端部に取着された要金具から扇状に延設されてなることが好ましい。
【０００９】
これによれば、掻き寄せ部材と支え部材との間で被収集体の挟み込みが確実である。また、掻き寄せ部材、支え部材の構造が単純であり、材料が安価で、製造コストが低くできる。
そして、掻き寄せ棒、支え棒の本数を少なくすれば、軽量化が可能であり、ある程度背丈が長く成長した草等の被収集体を挟み込むのに好適となる。
【００１０】
そして、制止手段としては、種々の構造が採用可能である。
例えば、（ａ）前記制止手段は、前記摺動筒の後端部に設けられた支軸を中心にレバーが揺動可能とされ、該レバーの一端部に制動子が装着されるとともにレバーと摺動筒の間に弾性体が介装され、該弾性体の付勢力により前記レバーを介し前記制動子が前記柄の表面を押圧可能とした制動機構であること、（ｂ）前記制止手段は、回動操作部と、前記摺動筒の後端部に穿設されたネジ孔に螺合した雄ネジ部を備え、該雄ネジ部が前記柄の表面に向かって進行するように回動操作部を回動することで前記雄ネジ部の先端が前記柄の表面を押圧可能としたクランプ機構であることが好ましい。
これらによれば、摺動筒を柄の任意の位置に制止させることができることになる。
【００１１】
また、前記制止手段は、前記摺動筒の後端部に設けられた支軸を中心にレバーが揺動可能とされ、該レバーの一端部に係合子が装着されるとともにレバーと摺動筒の間に弾性体が介装され、該弾性体の付勢力により前記レバーを介し前記係合子が前記柄の表面に連続的に形成された複数の刻み目のいずれかと係合可能とされた係合機構であってもよい。
これによれば、摺動筒を柄の刻み目のいずれかの位置において確実に制止させることができることになる。
なお、制止手段としては、以上の構造に限定されるものではない。
【考案の効果】
【００１２】
この考案は、以上説明したように構成されているので、以下に記載されるような効果を奏する。
すなわち、先ず、制止手段により摺動筒を後方位置に制止しておけば、通常の熊手と同様に、柄を持って掻き寄せ部材で草等の被収集体を容易に掻き寄せることができる。そして、被収集体が掻き寄せられた状態で、制止手段による摺動筒の柄に対する制止を解除し、摺動筒を柄の長手方向に沿って前方に摺動させることで、被収集体を掻き寄せ部材と支え部材との間に容易に挟み込むことができる。次いで、制止手段によって摺動筒を柄に対して制止させると、熊手の先端を上方に向けたりしても、摺動筒が制止手段によって柄に対し制止されていることから、後方へ摺動することがなく、被収集体を掻き寄せ部材と支え部材との間に挟み込んだ状態で熊手を持ち上げることができる。そして、熊手を動かして、掻き寄せ部材と支え部材との間に挟み込んだ被収集体を、一輪車、トラック等の運搬車の上に位置させ、制止手段による摺動筒の制止を解除し、摺動筒を後方へ摺動させることで、被収集体を一輪車、トラック等の運搬車の上に移すことができる。この様な作業は、いずれも、平地だけに限られず、中間山地の斜面、田の土手、道路の法面等の傾斜地でも同様にして行うことができる。
【００１３】
従って、掻き寄せられた草等を、両手の間で掴んだり、両腕で抱き上げたりする作業をしなくても楽に持ち上げることができ、腰を大きくかがめたり、膝をついたりする必要がなく、立ったままの楽な姿勢で作業を行うことができ、作業性がよく、高齢者であっても無理なく行うことができる。こういったことから、腰や膝を痛めたりする恐れがなく、安全でもある。
そして、この熊手の構造は、構造が簡単で、故障が少ないものであり、また、安価でもある。
【考案を実施するための最良の形態】
【００１４】
以下、考案を実施するための最良の形態を示し、さらに詳しくこの考案について説明する。もちろんこの考案は以下の実施の形態によって限定されるものではない。
図１は、この考案の熊手の一実施の形態を示す正面図、図２は左側面図、図３は分解正面図、図４は拡大部分縦断面図、図５はＡ−Ａ線拡大断面図である。
【００１５】
図に示されているように、熊手１は、長尺状で中空の柄２の外側に柄２より短めの長尺状の摺動筒３が嵌め合わされ、柄２の長手方向に沿って前後に摺動可能となっている。柄２には、長手方向に沿った案内溝４が形成されており、摺動筒３の長手方向に沿って形成された案内溝５と位置を合わせ、柄２に摺動筒３を嵌め合わせることで、摺動筒３が柄２の長手方向に沿って前後に摺動可能となる。
柄２に摺動筒３が嵌め合わされた状態において、柄２の後端部には、取手形成用のスリーブ６が嵌め合わされ、ネジ７で柄２に固定されている。スリーブ６には、グリップカバー８が取り付けられている。
摺動筒３は、スリーブ６と当接した位置と柄２の先端までの間で前後に摺動できる。
【００１６】
柄２の先端には、要金具９がピン止めされている。なお、要金具９を柄２に取着する手段はピン止めに限定されるものではない。要金具９からは複数の掻き寄せ棒１０（この熊手１においては５本としているが、これに限られるものではない。）が扇状に延設されている。掻き寄せ棒１０は、側面視、先端部が下方に略直角に折り曲げられた鉤形をしており、先端部が草等の被収集体を掻き寄せる際の爪として機能する。掻き寄せ棒１０は、要金具９の掌部９ａから抜け出さないようにボルト１１とナット１２で固定されている。掻き寄せ棒１０を柄２の先端に取着する構造としては、上記した構造に限定されるものではないことはいうまでもない。また、掻き寄せ棒は鉤形としたが、これに限られず、先端部が外に凸の円弧状に曲げられていてもよい。
【００１７】
摺動筒３の先端部の下側に、支え棒１４が環状の要金具１５によって締め付け固定されている。支え棒１４の締め付け固定は、環状の要金具１５の両端を張出部１５ａ、１５ａとして対向させ、張出部１５ａ、１５ａをネジ止めすることで行われる。環状の要金具１５と摺動筒３の間から複数の支え棒１４（この熊手１においては３本としているが、これに限られるものではない。）が扇状に延設されている。支え棒１４は、図２においては、摺動筒３の長手方向に対し傾斜角度約１５゜で前方に向かって直線状に下がっている。支え棒１４の傾斜角度は、後述するように、摺動筒３を前方に摺動させ、被収集体を挟み込む位置に達した時、掻き寄せ棒１０と支え棒１４によって形成される空間の間で、草等の被収集体を挟み込むのに適した角度に設定すればよく、掻き寄せ棒１０の爪の長さ、挟み込む被収集体の量、摺動筒３を摺動させつつ支え棒１４で被収集体をすくいあげる際のし易さ等を勘案し適宜決定されることから、傾斜角度約１５゜に限定されるものではない。支え棒１４を摺動筒３の先端部に取着する構造としては、特に限定されるものではなく、例えば、支え棒１４を挟持する掌部を備えているものであってもよい（柄２に取着されている要金具９参照）。
【００１８】
摺動筒３は、後端部にプラスチック製の筒状体１７がネジ１８、１８で固定されており、筒状体１７には、レバー１９を押圧することで摺動筒３が摺動可能となり、レバー１９の押圧を解除するだけで摺動筒３が制止される制動機構が設けられている。
【００１９】
具体的には、レバー１９は、筒状体１７に突設された一対の張出部２０、２０の間で支持された支軸２１を中心に揺動可能とされ、レバー１９の一端部に制動子２２が装着されるとともにレバー１９と摺動筒３の間にねじりコイルバネ２３が介装され、ねじりコイルバネ２３の付勢力によりレバー１９を介し制動子２２が、筒状体１７の挿通孔１７ａと、摺動筒３の挿通孔３ａを通って柄２の表面を押圧するようになっている（図８参照）。支軸２１は、ねじりコイルバネ２３のコイル部に挿通されている。レバー１９の一端部への制動子２２の装着は、制動子２２の頭部２２ａをレバー１９にピン止めすることでなされている。
【００２０】
なお、図４に示すように、摺動筒３の後方位置（初期位置）においては、制動子２２の先端部が柄２の係合孔２ａに係合して、摺動筒３がロックされるようになっている。
【００２１】
制動子２２の先端は柄２の表面に応じた曲面とされ、柄２の表面との接触面積を大きくしている。制動子２２の先端部には、摩擦係数の大きな材料を選択することが好ましい。制動子の制動面積が不足し、制動能力が低い場合は、例えば、制動子の先端と柄の間に幅広の摩擦パッドを制動子の先端で押圧するようにすればよい。
【００２２】
例えば、草刈り機等で切断されたある程度背丈が長く成長した草等の被収集体に対し、この熊手１を使用するには、以下のようにして行うことができる。
先ず、図４に示すように、摺動筒３が後方位置にロックされた状態において、一方の手でグリップカバー８を握り、他方の手で摺動筒３を握り、掻き寄せ棒１０によって被収集体を掻き寄せる。その際、摺動筒３が後方位置にまで後退し、支え棒１４が掻き寄せ棒１０から離れており、また、摺動筒３が後方位置でロックされていることから、支え棒１４は、掻き寄せ棒１０による被収集体の掻き寄せ作業に支障がない。従って、掻き寄せ作業は、通常の熊手と同様に容易に行うことができる。
【００２３】
被収集体が掻き寄せられた状態で、ねじりコイルバネ２３の付勢力に抗し、レバー１９を押圧して、図４においてレバー１９を支軸２１を中心に反時計方向に揺動させると、制動子２２の先端部と柄２の係合孔２ａとの係合が解除されるから、レバー１９を押圧したまま、摺動筒３を柄２の長手方向に沿って前方に摺動させるだけで、被収集体が支え棒１４によって容易にすくい上げられつつ前方に移動して集積される。そして、図６、図７に示されるように、支え棒１４が被収集体を挟み込む位置に達した時、掻き寄せ棒１０と支え棒１４とによって形成される空間の間で被収集体を確実に挟み込むことができる。
【００２４】
被収集体が掻き寄せ棒１０と支え棒１４とによって挟み込まれる位置にまで、摺動筒３を柄２の長手方向に沿って前方に摺動させた後、レバー１９の押圧を解除すると、ねじりコイルバネ２３の付勢力により、レバー１９が支軸２１を中心に時計方向に揺動し、図８に示すように制動子２２が柄２の表面を押圧することになり、摩擦によって摺動筒３はその位置で制止される。摺動筒３が制止された状態では、熊手１の先端を上方に向けたりしても、摺動筒３が後方へ摺動することがなく、被収集体を掻き寄せ棒１０と支え棒１４との間に挟み込んで持ち上げることができる。そして、熊手１を動かして、掻き寄せ棒１０と支え棒１４との間に挟み込んだ被収集体を一輪車、トラック等の運搬車の上に位置させ、ねじりコイルバネ２３の付勢力に抗し、レバー１９を押圧して、図８において支軸２１を中心にレバー１９を反時計方向に揺動させると、制動子２２による柄２の表面の押圧が解除されることから、レバー１９を押圧したまま、摺動筒３を柄２の長手方向に沿って後方に摺動させるだけで、被収集体を一輪車、トラック等の運搬車の上に移すことができる。
【００２５】
そして、摺動筒３を図４に示す後方位置にまで戻し、レバー１９の押圧を解除すると、ねじりコイルバネ２３の付勢力によりレバー１９が支軸２１を中心に時計方向に揺動し、制動子２２の先端部が柄２の係合孔２ａに係合して、摺動筒３がロックされることになり、次の掻き寄せ作業を行うことができる。
【００２６】
この様な作業は、いずれも、平地だけに限られず、中間山地の斜面、田の土手、道路の法面等の傾斜地でも同様にして行うことができる。
従って、掻き寄せられた草等を、両手の間で掴んだり、両腕で抱き上げたりする作業をしなくても楽に持ち上げることができ、腰を大きくかがめたり、膝をついたりする必要がなく、楽な立ったままの姿勢で作業を行うことができ、作業性がよく、高齢者であっても無理なく行うことができる。こういったことから、腰や膝を痛めたりする恐れがなく、安全でもある。
【００２７】
この熊手１は、前記したように摺動筒３の後方位置において、レバー１９を図４の反時計方向に揺動して制動子２２と柄２の係合孔２ａとの係合を解除した後、摺動筒３を柄２の長手方向に沿って前方に摺動させて、レバー１９の押圧を解除すれば、レバー１９が時計方向に揺動し、図８に示すように制動子２２が柄２の表面を押圧し、摩擦によって摺動筒３はその位置で制止されることから、被収集体の量に応じ、掻き寄せ棒１０と支え棒１４とによって形成される空間のサイズを調整させることができる。被収集体の量が少ない場合には、支え棒１４の先端が掻き寄せ棒１０の爪よりも稍前方にまで突き出た位置で、摺動筒３の制止を行うような構造としてもよい。
そして、この熊手の構造は、構造が簡単で、故障が少ないものであり、また、安価でもある。
【００２８】
なお、この熊手１においては、前記したように摺動筒３の後方位置において、レバー１９の制動子２２が柄２の係合孔２ａと係合するようにしたが、図９に示すように、柄２に係合孔２ａを設けない構造としても、摺動筒３が摺動することがなく、掻き寄せ作業に支障はない。
【００２９】
図１０に、摺動筒３１の柄３２に対する摺動・制止をクランプ機構で行うようにした他の実施の形態としての熊手の一部を示す。
【００３０】
図１０に示すクランプ機構は、筒状体３３と摺動筒３１に合致して形成されたネジ孔３３ａ、３１ａに、回動操作用レバー３４の一端に設けられた雄ネジ３５が螺合され、雄ネジ３５を締める方向に回動操作用レバー３４を廻すことで、雄ネジ３５の先端が柄３２の表面を押圧し、摺動筒３１を制止できるようにしたものである。雄ネジ３５を緩める方向に回動操作用レバー３４を戻すことで、雄ネジ３５の先端による柄３２の表面の押圧を解除し、摺動筒３１を摺動させることができる。
その他は、図１〜図８に示した構造と同様なことから詳細な説明は省略する。
なお、回動操作用レバーに代え、適宜形状のグリップを採用してもよいことはいうまでもない。
【００３１】
図１１に、摺動筒３の柄３８に対する摺動・制止を噛み合い戻り止めによる係合機構で行うようにした更に他の実施の形態としての熊手の一部を示す。
【００３２】
図１１に示す噛み合い戻り止めによる係合機構は、筒状体１７に突設された一対の張出部２０、２０の間で支持された支軸２１を中心にレバー１９が揺動可能とされ、レバー１９の一端部に係合子３９が装着されるとともに、レバー１９と摺動筒３の間にねじりコイルバネ２３が介装され、ねじりコイルバネ２３の付勢力によりレバー１９を介し係合子３９が、筒状体１７の挿通孔１７ａと、摺動筒３の挿通孔３ａを通って柄３８の表面に連続的に形成された刻み目３８ａのいずれかに係合する構造となっている。ねじりコイルバネ２３の付勢力に抗してレバー１９を押圧し、図１１においてレバー１９を支軸２１を中心に反時計方向に揺動させると、係合子３９の先端部と柄３８の刻み目３８ａとの係合が解除されることから、摺動筒３が柄３８の長手方向に沿って前方へ摺動可能となる。レバー１９の押圧を解除すると、ねじりコイルバネ２３の付勢力により、レバー１９が支軸２１を中心に時計方向に揺動し、係合子３９が柄３８の刻み目３８ａに係合し、その位置で制止される。
【００３３】
なお、この噛み合い戻り止めによる係合機構によれば、レバーを反時計方向に揺動させて係合子３９の先端部と柄３８の刻み目３８ａとの係合を解除させなくても、摺動筒３を前方に押すだけで柄３８の長手方向に沿って摺動させることができる利点がある。
この様な構造とすると、掻き寄せ棒１０と支え棒１４との間に挟み込まれた被収集体の重量があっても摺動筒３が後方にずれたりすることがない。
その他は、図１〜図８に示した構造と同様なことから詳細な説明は省略する。
【００３４】
図１２は、図１から図８に示した熊手において、掻き寄せ棒１０と支え棒１４との間で挟み込む位置に、柄２に係合孔２ｂを設けたものである。
この様な構造とすると、図１１に示した熊手と同様に、掻き寄せ棒１０と支え棒１４との間に挟み込まれた被収集体の重量があっても摺動筒３が後方にずれたりすることがない。
その他は、図１〜図８に示した構造と同様なことから詳細な説明は省略する。
【００３５】
その他、図示していないが、摺動筒の後端部にチャック機構を設け、チャック機構で柄を締め付けて摺動筒の柄に対する摺動を制止し、柄の締め付けを緩めることで摺動可能とするようにしてもよい。
また、支え棒を適宜の連結部材で横方向に所定間隔で連結し、目の粗い網目を形成するようにしてもよい。これによれば、落ち葉のような被収集体であっても、落下させることなくすくい上げ、掻き寄せ棒と支え棒との間で挟み込むことができる。
以上の実施の形態では、掻き寄せ棒や支え棒は、断面円形としたが、これに限られるものではない。
【図面の簡単な説明】
【００３６】
【図１】この考案の一実施の形態を示す熊手の正面図である。
【図２】図１に示す熊手の左側面図である。
【図３】図１に示す熊手の分解正面図である。
【図４】図１に示す熊手の拡大部分縦断面図である。
【図５】図１に示す熊手の図１のＡ−Ａ線拡大断面図である。
【図６】図１に示す熊手の使用状態の正面図である。
【図７】図１に示す熊手の使用状態の左側面図である。
【図８】図１に示す熊手の使用状態の拡大部分縦断面図である。
【図９】この考案の熊手の他の実施の形態の拡大部分縦断面図である。
【図１０】この考案の熊手の更に他の実施の形態の拡大部分縦断面図である。
【図１１】この考案の熊手の更に他の実施の形態の使用状態における拡大部分縦断面図である。
【図１２】この考案の熊手の更に他の実施の形態の使用状態における拡大部分縦断面図である。
【符号の説明】
【００３７】
１  熊手
２  柄
３  摺動筒
９  要金具
１０  掻き寄せ棒
１４  支え棒
１５  要金具
１７  筒状体
１９  レバー
２１  支軸
２２  制動子
２３  ねじりコイルバネ
【図１】
0003128316.tif 000003
【図２】
0003128316.tif 000004
【図３】
0003128316.tif 000005
【図４】
0003128316.tif 000006
【図５】
0003128316.tif 000007
【図６】
0003128316.tif 000008
【図７】
0003128316.tif 000009
【図８】
0003128316.tif 000010
【図９】
0003128316.tif 000011
【図１０】
0003128316.tif 000012
【図１１】
0003128316.tif 000013
【図１２】
0003128316.tif 000014